(57)【要約】【課題】ケーシングとドレンパンの配置と固定方法を工夫することで、風路での圧力損失を低減して風量を確保しながら機体を薄型化でき、また強度を向上でき、メンテナンス性を向上できる消音ボックス付送風機を提供すること。【解決手段】箱状の機体３の内部に両吸込型遠心送風機９を備え、ケーシング吸込口１２に対向する機体３の一面に点検用開口部１６を備え、ケーシング吸込口１２に対向しない機体３の一面を底面とし開口した機体底開口部１７を備え、機体底開口部１７にドレンパン１８を接続し、ケーシングベース１９をケーシング側板１３の底面に固定し、ケーシングベース１９は機体３の対向した内面を連結する構成としたことにより、風路８での圧力損失を低減して風量を確保しながら機体３を薄型化でき、また強度を向上でき、メンテナンス性を向上できる消音ボックス付送風機を提供できる。【選択図】図１
2010096135.tif 000002
【特許請求の範囲】
【請求項１】
機体吸込口と機体吹出口を対向して設けた箱状の機体の内部に両吸込型遠心送風機を備え、前記両吸込型遠心送風機は前記機体吹出口に対向した吐出口と渦巻状のスクロールとケーシング吸込口を設けたケーシング側板を両側面に備え、両吸込型羽根車を前記ケーシング吸込口近傍に固定したモーターにより駆動し、前記ケーシング吸込口に対向する前記機体の一面に点検用開口部を備え、前記ケーシング吸込口に対向しない前記機体の一面を底面とし開口した機体底開口部を備え、前記機体底開口部にドレンパンを接続した消音ボックス付送風機であって、前記両吸込型遠心送風機を前記機体に固定するケーシングベースを前記ケーシング側板の底面に固定し、前記ケーシングベースは前記機体の対向した内面を連結する構成としたことを特徴とする消音ボックス付送風機。
【請求項２】
機体吸込口からの気流が、ドレンパン内を通過しケーシングベース下面をくぐり抜けた後に両吸込型遠心送風機に向かうケーシングベース下面風路を備え、前記両吸込型遠心送風機の両吸込型羽根車の吸込中心に向かって傾いた角度となる舌部方向気流としてケーシング吸込口に流入する構成としたことを特徴とする請求項１記載の消音ボックス付送風機。
【請求項３】
ケーシングベースの断面をＬ字曲げ形状とする構成としたことを特徴とする請求項１または２記載の消音ボックス付送風機。
【請求項４】
ケーシングベースを機体吸込口から機体吹出口に向かう方向に配置する構成としたことを特徴とする請求項３記載の消音ボックス付送風機。
【請求項５】
ケーシングベースの断面のＬ字曲げ方向をドレンパン側に突出する構成としたことを特徴とする請求項４記載の消音ボックス付送風機。
【請求項６】
ケーシングベースを両吸込型遠心送風機の両側面のケーシング側板におのおの配置し、モーターを固定した前記ケーシング側板側の前記ケーシングベースの断面のＬ字曲げ高さを、他方のケーシングベースのＬ字曲げ高さに対し大きくする構成としたことを特徴とする請求項５記載の消音ボックス付送風機。
【請求項７】
ケーシングベースとドレンパンの間に手を挿入して清掃する空間距離を設けた構成としたことを特徴とする請求項１〜６のいずれかに記載の消音ボックス付送風機。
【請求項８】
機体の点検用開口部の対面側はドレンパンと前記機体を勘合自在に固定し、その他の前記機体の面は前記ドレンパンと前記機体の接合をねじ止め固定する構成としたことを特徴とする請求項１〜７のいずれかに記載の消音ボックス付送風機。
【請求項９】
ケーシング側板にケーシング吸音材を配置し、前記ケーシング吸音材をケーシングベースに接して支持する構成としたことを特徴とする請求項１〜８のいずれかに記載の消音ボックス付送風機。
【請求項１０】
機体の内面に機体吸音材を配置し、前記機体吸音材をケーシングベースに接して支持する構成としたことを特徴とする請求項１〜９のいずれかに記載の消音ボックス付送風機。
【発明の詳細な説明】
【技術分野】
【０００１】
本発明は、換気送風機器など消音ボックス内部に送風機を内蔵して使用される消音ボックス付送風機に関する。
【背景技術】
【０００２】
従来、この種の消音ボックス付送風機としては、機体内に片吸込型送風機のケーシング吸込口を底面のドレンパン側に対向するように配置し、機体内の風路をドレンパンと仕切る導風板を設けたものが知られている（例えば、特許文献１参照）。
【０００３】
以下、その消音ボックス付送風機について、図８および図９を参照しながら説明する。
【０００４】
図８および図９に示すように、天井裏１０１に、機体吸込口１０２に吸込側ダクト１０３、機体吹出口１０４に吹出側ダクト１０５を接続して設置される箱状の機体１０６があり、機体１０６の側面には、空気を吸い込む吸込側に機体吸込口１０２、空気を吹き出す吹出側に機体吹出口１０４を設け、機体１０６の内部には、ケーシング１０７とモーター１０８とケーシング吸込口１０９と片吸込型羽根車１１０を有した片吸込型遠心送風機１１１を備え、ケーシング吸込口１０９に対向するドレンパン１１２を着たい１０６に着脱自在にねじ固定し、ケーシング吸込口１０９を底面のドレンパン１１２側に対向するように配置し、機体１０６内の風路１１３をドレンパン１１２と仕切る導風板１１４を設けた構成となっている。
【０００５】
そして、片吸込型遠心送風機１１１を運転すると、室内１１５の空気は、吸込側ダクト１０３を通って導風板１１４で導風され、ケーシング吸込口１０９に向かい、片吸込型遠心送風機１１１を介して吹出側ダクト１０５を通過し、室外１１６に排気されている。ドレンパン１１２の直下には、天井材１１７に天井点検口１１８を設けている。
【特許文献１】特開平４−３０９７３８号公報
【発明の開示】
【発明が解決しようとする課題】
【０００６】
このような従来の消音ボックス付送風機では、ケーシング吸込口に向けてスムーズに気流を流すため導風板を設けているが、風路での圧力損失を低減するにはケーシング吸込口と導風板の距離を十分確保する必要があり、機体が大型化するという課題がある。
【０００７】
また、モーターをメンテナンスする場合、ドレンパンを機体から取り外し、次に導風板を取り外した後、ケーシング吸込口から羽根車を取り外し、モーターを確認する必要があるためメンテナンス性が悪いという課題がある。
【０００８】
また、ドレンパンを天井点検口から取り出す必要があるため、天井点検口はドレンパンより大きい大型のものが必要であり、かつ室内から上を向いた作業が必要であるため、メンテナンス性が悪いという課題がある。
【０００９】
本発明は、このような従来の課題を解決するものであり、ケーシングとドレンパンの配置と固定方法を工夫することで、風路での圧力損失を低減して風量を確保しながら機体を薄型化でき、また強度を向上でき、メンテナンス性を向上できる消音ボックス付送風機を提供することを目的とする。
【課題を解決するための手段】
【００１０】
本発明の消音ボックス付送風機は、上記目的を達成するために、機体吸込口と機体吹出口を対向して設けた箱状の機体の内部に両吸込型遠心送風機を備え、前記両吸込型遠心送風機は前記機体吹出口に対向した吐出口と渦巻状のスクロールとケーシング吸込口を設けたケーシング側板を両側面に備え、両吸込型羽根車を前記ケーシング吸込口近傍に固定したモーターにより駆動し、前記ケーシング吸込口に対向する前記機体の一面に点検用開口部を備え、前記ケーシング吸込口に対向しない前記機体の一面を底面とし開口した機体底開口部を備え、前記機体底開口部にドレンパンを接続した消音ボックス付送風機であって、前記両吸込型遠心送風機を前記機体に固定するケーシングベースを前記ケーシング側板の底面に固定し、前記ケーシングベースは前記機体の対向した内面を連結する構成としたものである。
【００１１】
また、他の手段は、機体吸込口からの気流が、ドレンパン内を通過しケーシングベース下面をくぐり抜けた後に両吸込型遠心送風機に向かうケーシングベース下面風路を備え、前記両吸込型遠心送風機の両吸込型羽根車の吸込中心に向かって傾いた角度となる舌部方向気流としてケーシング吸込口に流入するとしたものである。
【００１２】
また、他の手段は、ケーシングベースの断面をＬ字曲げ形状とする構成としたものである。
【００１３】
また、他の手段は、ケーシングベースを機体吸込口から機体吹出口に向かう方向に配置する構成としたものである。
【００１４】
また、他の手段は、ケーシングベースの断面のＬ字曲げ方向をドレンパン側に突出する構成としたものである。
【００１５】
また、他の手段は、ケーシングベースを両吸込型遠心送風機の両側面のケーシング側板におのおの配置し、モーターを固定した前記ケーシング側板側の前記ケーシングベースの断面のＬ字曲げ高さを、他方のケーシングベースのＬ字曲げ高さに対し大きくする構成としたものである。
【００１６】
また、他の手段は、ケーシングベースとドレンパンの間に手を挿入して清掃する空間距離を設けた構成としたものである。
【００１７】
また、他の手段は、機体の点検用開口部の対面側はドレンパンと前記機体を勘合自在に固定し、その他の前記機体の面は前記ドレンパンと前記機体の接合をねじ止め固定する構成としたものである。
【００１８】
また、他の手段は、ケーシング側板にケーシング吸音材を配置し、前記ケーシング吸音材をケーシングベースに接して支持する構成としたものである。
【００１９】
また、他の手段は、機体の内面に機体吸音材を配置し、前記機体吸音材をケーシングベースに接して支持する構成としたものである。
【発明の効果】
【００２０】
本発明によれば、機体吸込口と機体吹出口を対向して設けた箱状の機体の内部に両吸込型遠心送風機を備え、前記両吸込型遠心送風機は前記機体吹出口に対向した吐出口と渦巻状のスクロールとケーシング吸込口を設けたケーシング側板を両側面に備え、両吸込型羽根車を前記ケーシング吸込口近傍に固定したモーターにより駆動し、前記ケーシング吸込口に対向する前記機体の一面に点検用開口部を備え、前記ケーシング吸込口に対向しない前記機体の一面を底面とし開口した機体底開口部を備え、前記機体底開口部にドレンパンを接続した消音ボックス付送風機であって、前記両吸込型遠心送風機を前記機体に固定するケーシングベースを前記ケーシング側板の底面に固定し、前記ケーシングベースは前記機体の対向した内面を連結する構成としたことにより、風路での圧力損失を低減して風量を確保しながら機体を薄型化でき、また強度を向上でき、メンテナンス性を向上できるという効果のある消音ボックス付送風機を提供することができる。
【００２１】
また、機体吸込口からの気流が、ドレンパン内を通過しケーシングベース下面をくぐり抜けた後に両吸込型遠心送風機に向かうケーシングベース下面風路を備え、前記両吸込型遠心送風機の両吸込型羽根車の吸込中心に向かって傾いた角度となる舌部方向気流としてケーシング吸込口に流入する構成としたことにより、風路での圧力損失を低減して風量を確保しながら機体を薄型化でき、また静圧を向上できるという効果のある消音ボックス付送風機を提供することができる。
【００２２】
また、ケーシングベースの断面をＬ字曲げ形状とする構成としたことにより、風路での圧力損失を低減して風量を確保しながら機体を薄型化でき、また強度を向上できるという効果のある消音ボックス付送風機を提供することができる。
【００２３】
また、ケーシングベースを機体吸込口から機体吹出口に向かう方向に配置する構成としたことにより、風路での圧力損失を低減して風量を確保しながら機体を薄型化できるという効果のある消音ボックス付送風機を提供することができる。
【００２４】
また、ケーシングベースの断面のＬ字曲げ方向をドレンパン側に突出する構成としたことにより、風路での圧力損失を低減して風量を確保しながら機体を薄型化できるという効果のある消音ボックス付送風機を提供することができる。
【００２５】
また、ケーシングベースを両吸込型遠心送風機の両側面のケーシング側板におのおの配置し、モーターを固定した前記ケーシング側板側の前記ケーシングベースの断面のＬ字曲げ高さを、他方のケーシングベースのＬ字曲げ高さに対し大きくする構成としたことにより、風路での圧力損失を低減して風量を確保しながら機体を薄型化でき、また強度を向上できるという効果のある消音ボックス付送風機を提供することができる。
【００２６】
また、ケーシングベースとドレンパンの間に手を挿入して清掃する空間距離を設けた構成としたことにより、簡易な構造とでき、またメンテナンス性を向上できるという効果のある消音ボックス付送風機を提供することができる。
【００２７】
また、機体の点検用開口部の対面側はドレンパンと前記機体を勘合自在に固定し、その他の前記機体の面は前記ドレンパンと前記機体の接合をねじ止め固定する構成としたことにより、簡易な構造とでき、またメンテナンス性を向上できるという効果のある消音ボックス付送風機を提供することができる。
【００２８】
また、ケーシング側板にケーシング吸音材を配置し、前記ケーシング吸音材をケーシングベースに接して支持する構成としたことにより、簡易な構造とでき、また低騒音化できるという効果のある消音ボックス付送風機を提供することができる。
【００２９】
また、機体の内面に機体吸音材を配置し、前記機体吸音材をケーシングベースに接して支持する構成としたことにより、簡易な構造とでき、また低騒音化できるという効果のある消音ボックス付送風機を提供することができる。
【発明を実施するための最良の形態】
【００３０】
本発明の請求項１記載の消音ボックス付送風機は、機体吸込口と機体吹出口を対向して設けた箱状の機体の内部に両吸込型遠心送風機を備え、前記両吸込型遠心送風機は前記機体吹出口に対向した吐出口と渦巻状のスクロールとケーシング吸込口を設けたケーシング側板を両側面に備え、両吸込型羽根車を前記ケーシング吸込口近傍に固定したモーターにより駆動し、前記ケーシング吸込口に対向する前記機体の一面に点検用開口部を備え、前記ケーシング吸込口に対向しない前記機体の一面を底面とし開口した機体底開口部を備え、前記機体底開口部にドレンパンを接続した消音ボックス付送風機であって、前記両吸込型遠心送風機を前記機体に固定するケーシングベースを前記ケーシング側板の底面に固定し、前記ケーシングベースは前記機体の対向した内面を連結する構成としたものであり、ドレンパンがドレン受け部と風路を兼ねる配置としたため、機体を大きくすることなく機体内の風路面積が大きくなり気流の衝突ロスを少なくでき、またケーシングベースがケーシング側板の底面を支持するため、重量のある両吸込型遠心送風機を機体に強固に接続でき、また点検用開口部と機体底開口部が連通しているため、ドレンパンを取り外す作業が必要なく、点検用開口部からドレンパン内面を容易に確認できるという作用を有する。
【００３１】
また、機体吸込口からの気流が、ドレンパン内を通過しケーシングベース下面をくぐり抜けた後に両吸込型遠心送風機に向かうケーシングベース下面風路を備え、前記両吸込型遠心送風機の両吸込型羽根車の吸込中心に向かって傾いた角度となる舌部方向気流としてケーシング吸込口に流入する構成としたものであり、ドレンパンを通過した舌部方向気流が両吸込型羽根車のブレードの入口方向の流入気流に対し略平行に流入するため、ブレード入口での風速が増加し静圧を上昇できるという作用を有する。
【００３２】
また、ケーシングベースの断面をＬ字曲げ形状とする構成としたものであり、ケーシングベースにＬ字曲げを設けケーシングベース自体の強度を向上したため、両吸込型遠心送風機を機体に強固に接続できるという作用を有する。
【００３３】
また、ケーシングベースを機体吸込口から機体吹出口に向かう方向に配置する構成としたものであり、ケーシングベースのＬ字曲げが機体吸込口から機体吹出口に向かう機体内の気流方向に沿う向きとなるように、ケーシングベースを設置したため、機体を大きくすることなく風路での気流の衝突ロスを少なくできるという作用を有する。
【００３４】
また、ケーシングベースの断面のＬ字曲げ方向をドレンパン側に突出する構成としたものであり、ケーシングベースのＬ字曲げ方向がドレンパン側でありケーシング吸込口を塞ぐことがないため、機体を大きくすることなく風路での気流の衝突ロスを少なくできるという作用を有する。
【００３５】
また、ケーシングベースを両吸込型遠心送風機の両側面のケーシング側板におのおの配置し、モーターを固定した前記ケーシング側板側の前記ケーシングベースの断面のＬ字曲げ高さを、他方のケーシングベースのＬ字曲げ高さに対し大きくする構成としたものであり、Ｌ字曲げ高さが大きく強度のあるケーシングベースが、重量の大きい側のケーシング側板の底面を支持するため、両吸込型遠心送風機を機体に強固に接続でき、また他方である重量の小さい側のケーシング側板を支持するケーシングベースのＬ字曲げ高さを小さくできるため、機体を大きくすることなく風路での気流の衝突ロスを少なくできるという作用を有する。
【００３６】
また、ケーシングベースとドレンパンの間に手を挿入して清掃する空間距離を設けた構成としたものであり、点検用開口部と機体底開口部が連通し、点検用開口部からケーシングベースとドレンパンの間に手を挿入できるため、ドレンパンを取り外す作業や構造が必要なく、ドレンパン内面を容易に清掃できるという作用を有する。
【００３７】
また、機体の点検用開口部の対面側はドレンパンと前記機体を勘合自在に固定し、その他の前記機体の面は前記ドレンパンと前記機体の接合をねじ止め固定する構成としたものであり、点検用開口部の対面側はドレンパンと機体のねじ止め固定がなく、点検用開口部の側からドレンパンと機体の接合のねじを取り外しできるため、機体裏側に回りこむ作業が必要なく、ドレンパンを容易に取り外して清掃できるという作用を有する。
【００３８】
また、ケーシング側板にケーシング吸音材を配置し、前記ケーシング吸音材をケーシングベースに接して支持する構成としたものであり、ケーシングベースにケーシング吸音材を支持する機能を持たせたため、別部材を取り付けることなく機体吸込口からの気流によるケーシング吸音材の剥がれを防止して取り付けできるという作用を有する。
【００３９】
また、機体の内面に機体吸音材を配置し、前記機体吸音材をケーシングベースに接して支持する構成としたものであり、ケーシングベースに機体吸音材を支持する機能を持たせたため、別部材を取り付けることなくケーシング吸込口の気流による機体吸音材の剥がれを防止して取り付けできるという作用を有する。
【００４０】
以下、本発明の実施の形態について、図面を参照しながら説明する。
【００４１】
（実施の形態１）
図１および図２に示すように、機体吸込口１と機体吹出口２を箱状の機体３の対向する側面に設けている。機体３には、機体吸込口１に吸込側ダクト４を接続する吸込アダプター５、および機体吹出口２には、吹出側ダクト６を接続する吹出アダプター７を配している。機体３の内部には、機体吸込口１から機体吹出口２に至る風路８を有し、その風路８に両吸込型遠心送風機９を備えている。両吸込型遠心送風機９は機体吹出口２に対向した吐出口１０と渦巻状のスクロール１１とケーシング吸込口１２を設けたケーシング側板１３を両側面に備え、両吸込型羽根車１４をケーシング吸込口１２近傍に固定したモーター１５により駆動するものである。ケーシング吸込口１２に対向する機体３の一面には、点検用開口部１６を備え、ケーシング吸込口１２に対向しない機体３の一面を底面とし開口した機体底開口部１７を備えている。この機体底開口部１７には、ドレンパン１８を接続し、両吸込型遠心送風機９を機体３に固定するケーシングベース１９をケーシング側板１３の底面に固定して、ケーシングベース１９は機体３の対向した内面を連結する構成とする。ドレンパン１８とケーシングベース１９とは、距離を持って配置され、ケーシングベース１９の下側（ドレンパン１８との間）を気流が通過するようになっている。このケーシングベース１９の下側の空間は、ケーシングベース下面風路２０として、ケーシング吸込口１２に向かう気流の通過経路となる。
【００４２】
ケーシングベース１９は、断面がＬ字状（Ｌ字曲げ２５）であって、ドレンパン１８側（下向き）に突出した配置となっている。また、ケーシングベース１９は、機体吸込口１から機体吹出口２に向かう方向に配置する。
【００４３】
また、図３に示すように、天井裏２６において機体吸込口１に吸込側ダクト４、機体吹出口２に吹出側ダクト６を接続して機体３は施工され、機体３は、吸込側に機体吸込口１、吹出側に機体吹出口２、機体３の内部に両吸込型遠心送風機９を配している。そして、両吸込型遠心送風機９を運転すると、室内２７の空気が吸込側ダクト４、両吸込型遠心送風機９を介して吹出側ダクト６を通過し、室外２８に排気している。天井裏２６と室内２７は天井材２９で仕切られ、天井材２９の機体３の下部に天井点検口３０を備えている。
【００４４】
上記構成により、ドレンパン１８がドレン受け部と風路を兼ねる配置としたため、機体３を大きくすることなく機体３内の風路面積が大きくなり気流の衝突ロスを少なくでき、またケーシングベース１９がケーシング側板１３の底面を支持するため、重量のある両吸込型遠心送風機９を機体３に強固に接続でき、また点検用開口部１６と機体底開口部１７が連通しているため、ドレンパン１８を取り外す作業が必要なく、点検用開口部１６からドレンパン１８内面を容易に確認できる。
【００４５】
また、ドレンパン１８を通過したケーシングベース下面風路２０の気流方向は、両吸込型遠心送風機９の両吸込型羽根車１４の吸込中心に向かって傾いた角度となる舌部方向気流２２となり、両吸込型羽根車１４のブレード２３の入口方向２４に略平行に流入するため、ブレード入口での風速が増加し圧力変換がなされやすくなり静圧を上昇できる。なお、一般にスクロール１１内の舌部２１近傍は断面の面積が小さいため、羽根車での静圧昇圧率が低い部分とされており、本構成は舌部２１近傍で作用しているため、静圧上昇に対し有効である。
【００４６】
また、ケーシングベース１９にＬ字曲げ２５を設けケーシングベース１９自体の強度を向上したため、両吸込型遠心送風機９を機体３に強固に接続できる。
【００４７】
また、ケーシングベース１９のＬ字曲げ２５が機体吸込口１から機体吹出口２に向かう機体内の気流方向に沿う向きとなるように、ケーシングベース１９を設置したため、機体３を大きくすることなく風路８での気流の衝突ロスを少なくできる。
【００４８】
また、ケーシングベース１９のＬ字曲げ２５方向がドレンパン１８側でありケーシング吸込口１２を塞ぐことがないため、機体３を大きくすることなく風路８での気流の衝突ロスを少なくできる。
【００４９】
このように本発明の実施の形態１の消音ボックス付送風機によれば、風路での圧力損失を低減して風量を確保しながら機体を薄型化でき、また静圧を向上でき、強度を向上でき、メンテナンス性を向上できることとなる。
【００５０】
また、風路８での圧力損失を低減した分、両吸込型羽根車１４を小さくでき、両吸込型遠心送風機９の小型化により機体３を薄くすることができるため、天井裏２６の高さを低くすることで室内２７の居住空間高さ空間を広く確保することができ、また両吸込型遠心送風機９をメンテナンス時に取り出す際、ドレンパン１８を取り外す必要がなく、さらに点検用開口部１６から水平方向の目視確認にて作業ができるため、天井点検口３０が小さい場合でも容易に作業ができることでメンテナンス性が良くなることはいうまでもない。
【００５１】
（実施の形態２）
図４に示すように、ケーシングベース１９を両吸込型遠心送風機９の両側面のケーシング側板１３におのおの配置する。これら２つのケーシングベース１９のうち、モーター１５を固定したケーシング側板１３側のケーシングベース１９について、その断面のＬ字曲げ高さ３１の寸法Ａを、他方のケーシングベース１９のＬ字曲げ高さ３２の寸法Ｂに対し大きくする。すなわち、Ａ＞Ｂとなる構成とする。
【００５２】
また、点検板３３を取り外した後の点検用開口部１６を通じて、ケーシングベース１９とドレンパン１８の間に手３４を挿入して清掃する空間距離３５を設けた構成とする。
【００５３】
上記構成により、Ｌ字曲げ高さ３１が大きく強度のあるケーシングベース１９が、モーター１５のため重量の大きい側のケーシング側板１３の底面を支持するため、両吸込型遠心送風機９を機体３に強固に接続でき、また他方である重量の小さい側のケーシング側板１３を支持するケーシングベース１９のＬ字曲げ高さ３２を小さくできるため、機体３を大きくすることなく風路での気流の衝突ロスを少なくできる。
【００５４】
また、点検用開口部１６と機体底開口部１７が連通し、点検用開口部１６からケーシングベース１９とドレンパン１８の間に手３４を挿入できるため、ドレンパン１８を取り外す作業や構造が必要なく、ドレンパン１８内面を容易に清掃できる。
【００５５】
このように本発明の実施の形態２の消音ボックス付送風機によれば、風路での圧力損失を低減して風量を確保しながら機体を薄型化でき、また強度を向上でき、簡易な構造とでき、メンテナンス性を向上できることとなる。
【００５６】
（実施の形態３）
図５に示すように、機体３の点検用開口部の対面３６側はドレンパン１８と機体３を差し込み部材３７にて勘合自在に固定し、その他の機体３の面はドレンパン１８と機体３の接合をねじ止め３８にて固定する構成とする。
【００５７】
上記構成により、点検用開口部の対面３６側はドレンパン１８と機体３のねじ止め３８固定がなく、天井材２９に設けられた天井点検口３０を介して点検用開口部１６の側からドレンパン１８と機体３の接合のねじを取り外しできるため、機体３裏側に回りこむ作業が必要なく、ドレンパン１８を容易に取り外して清掃できる。なお、本形態は、通常のドレンパン１８内面の清掃は点検用開口部１６から行えながら、厨房環境での換気時の油分等、大量の汚れによりドレンパン１８を取り外して清掃する場合の要望に答える構造である。
【００５８】
このように本発明の実施の形態３の消音ボックス付送風機によれば、簡易な構造とでき、またメンテナンス性を向上できることとなる。
【００５９】
（実施の形態４）
図６に示すように、ケーシング側板１３にケーシング吸音材３９を配置し、ケーシング吸音材３９をケーシングベース１９に接して支持する構成とする。
【００６０】
上記構成により、ケーシングベース１９にケーシング吸音材３９を支持する機能を持たせたため、別部材を取り付けることなく機体吸込口１からの気流によるケーシング吸音材３９の剥がれを防止して取り付けできる。
【００６１】
このように本発明の実施の形態４の消音ボックス付送風機によれば、簡易な構造とでき、また低騒音化できることとなる。
【００６２】
（実施の形態５）
図７に示すように、機体３の内面に機体吸音材４０を配置し、機体吸音材４０をケーシングベース１９に接して支持する構成とする。
【００６３】
上記構成により、ケーシングベース１９に機体吸音材４０を支持する機能を持たせたため、別部材を取り付けることなくケーシング吸込口１２の気流による機体吸音材４０の剥がれを防止して取り付けできる。
【００６４】
このように本発明の実施の形態５の消音ボックス付送風機によれば、簡易な構造とでき、また低騒音化できることとなる。
【産業上の利用可能性】
【００６５】
換気送風機器、空気調和機、除湿機、加湿器、空気清浄機などの空気搬送目的以外に、機体吹出口からの送風を用いて設備機器の冷却ができ、圧力損失を少なくし風量を確保することで冷却効果が高く、コンパクトに設置できる設備機器の送風の用途にも適用できる。
【図面の簡単な説明】
【００６６】
【図１】本発明の実施の形態１の消音ボックス付送風機の側面構成図
【図２】同消音ボックス付送風機の正面構成図
【図３】同消音ボックス付送風機の設置状態を示す側面構成図
【図４】本発明の実施の形態２の消音ボックス付送風機の正面構成図
【図５】本発明の実施の形態３の消音ボックス付送風機の正面構成図
【図６】本発明の実施の形態４の消音ボックス付送風機の側面構成図
【図７】本発明の実施の形態５の消音ボックス付送風機の正面構成図
【図８】従来の消音ボックス付送風機の側面構成図
【図９】同消音ボックス付送風機の設置状態を示す側面構成図
【符号の説明】
【００６７】
１    機体吸込口
２    機体吹出口
３    機体
９    両吸込型遠心送風機
１０  吐出口
１１  スクロール
１２  ケーシング吸込口
１３  ケーシング側板
１４  両吸込型羽根車
１５  モーター
１６  点検用開口部
１７  機体底開口部
１８  ドレンパン
１９  ケーシングベース
２０  ケーシングベース下面風路
２２  舌部方向気流
２５  Ｌ字曲げ
３１  Ｌ字曲げ高さ
３２  Ｌ字曲げ高さ
３４  手
３５  空間距離
３６  点検用開口部の対面
３８  ねじ止め
３９  ケーシング吸音材
４０  機体吸音材
【図１】
2010096135.tif 000003
【図２】
2010096135.tif 000004
【図３】
2010096135.tif 000005
【図４】
2010096135.tif 000006
【図５】
2010096135.tif 000007
【図６】
2010096135.tif 000008
【図７】
2010096135.tif 000009
【図８】
2010096135.tif 000010
【図９】
2010096135.tif 000011